(57)【要約】【課題】撮影空間内の利用者を撮影する画像撮影装置であって、特定の方向からの光が照射されたような印象を与え、陰影が豊富な被写体像を撮影可能な画像撮影装置を提供する。【解決手段】写真シール作成装置１は、撮影空間内の利用者を撮影する装置である。写真シール作成装置１は、利用者を撮影して撮影画像を生成するカメラ９１と、撮影空間内に設置され、撮影時に瞬間的な照明光を照射するストロボ発光管５５２と、ストロボ発光管５５２を覆う外装部５１０と、を備える。外装部５１０に、ストロボ発光管５５２から照射される照明光のうち、少なくとも、装置平面視でカメラ９１の光軸Ａｘ方向に平行となる方向、または真下方向のうちの所定方向に向かう照明光を遮光する遮光部５１０ｘが設けられている。【選択図】図３６
2019036798.tif 000002
【特許請求の範囲】
【請求項１】
撮影空間内の利用者を撮影する画像撮影装置であって、
利用者を撮影して撮影画像を生成する撮影部と、
前記撮影空間内に設置され、撮影時に瞬間的な照明光を照射する第１光源と、
前記第１光源を覆う外装部と、を備え、
前記外装部に、前記第１光源から照射される照明光のうち、少なくとも、装置平面視で前記撮影部の光軸方向に平行となる方向、または真下方向のうちの所定方向に向かう照明光を遮光する遮光部が設けられている、
画像撮影装置。
【請求項２】
前記撮影空間内に設置され、撮影時に瞬間的な照明光を照射する第２光源をさらに備え、
前記第２光源は、前記撮影空間内での利用者の指定立ち位置を照明し、
前記第１光源は、前記撮影空間内において前記指定立ち位置に対し離間した所定位置を照明し、
前記遮光部は、前記第１光源から照射される照明光のうち前記指定立ち位置の方向に向かう照明光を遮光する、
請求項１に記載の画像撮影装置。
【請求項３】
前記外装部の外面及び／または内面の一部に、前記外装部における他の部分の光反射率よりも小さい光反射率を有する低反射部が設けられている、
請求項１に記載の画像撮影装置。
【請求項４】
前記遮光部は、前記外装部における他の部分の光透過率よりも小さい光透過率を有する半遮光部である、
請求項１または２に記載の画像撮影装置。
【請求項５】
前記低反射部は暗色の面を有する、
請求項３に記載の画像撮影装置。
【請求項６】
前記撮影部は、前記撮影空間の正面壁に配置され、
前記第１光源は、前記撮影空間の天井に配置され、
前記第２光源は、前記正面壁に前記撮影部の上方で配置され、
前記指定立ち位置は、前記第１光源の下方の位置である、
請求項２に記載の画像撮影装置。
【請求項７】
前記撮影部は、前記撮影空間の正面壁に配置され、
前記第１光源は、前記撮影空間の側壁に配置され、
前記第２光源は、前記正面壁に前記撮影部の上方で配置され、
前記指定立ち位置は、前記第１光源の側方の位置である、
請求項２に記載の画像撮影装置。
【請求項８】
前記第１光源は、延び形状を有し、その長手方向が水平面に対して交差するように、配置されている、
請求項１から７のいずれか１項に記載の画像撮影装置。
【請求項９】
前記第１光源及び前記第２光源は、延び形状を有し、それらの長手方向がなす角度が０〜６０°の範囲内となるように、配置されている、
請求項２，６，７のいずれか１項に記載の画像撮影装置。
【請求項１０】
前記外装部の、前記第１光源から前記所定位置に向かう方向に位置する部分に、前記第１光源から照射された照明光を通過させる開口が設けられている、
請求項２，６，７のいずれか１項に記載の画像撮影装置。
【発明の詳細な説明】
【技術分野】
【０００１】
本発明は、撮影空間内の利用者を撮影する画像撮影装置に関する。
【背景技術】
【０００２】
従来、撮影ブースにおいて利用者（被写体）を撮影し、撮影した画像を編集してシール紙に印刷し、写真シールとして利用者に提供する写真シール作成装置が知られている（例えば、特許文献１参照）。
【０００３】
写真シール作成装置では、特許文献１のように、被写体がカメラから離れた位置に立っている場合、上ストロボからの光が届きにくいため、天井ストロボを用いて、上ストロボからの光を補うように構成されている。
【先行技術文献】
【特許文献】
【０００４】
【特許文献１】特開２０１７−０４９５６４号公報
【発明の概要】
【発明が解決しようとする課題】
【０００５】
特許文献１の天井ストロボは、ストロボ発光管と、ストロボ発光管を覆う外装部とを有している。外装部は、撮影部の光軸方向に平行な左右の側面を構成する金属製の側面板と、左右の側面板間を連結する半円筒形状の半透明な乳白アクリル板とを備えている。このような特許文献１の天井ストロボでは、ストロボを向けて照射している方向以外にも、乳白アクリル板を介して光が透過してしまう。また、乳白アクリル板は比較的光を反射しやすい性質を有するため、上ストロボからの光を反射してしまう。その結果、被写体にあらゆる方向からの光が照射される状態となり、陰影が乏しく、特定の方向からの光が照射されたような印象の被写体像を撮影できなかった。
【０００６】
本発明は、撮影空間内の利用者を撮影する画像撮影装置であって、特定の方向からの光が照射されたような印象を与え、陰影が豊富な被写体像を撮影可能な画像撮影装置を提供することを目的とする。
【課題を解決するための手段】
【０００７】
本発明に係る画像撮影装置は、撮影空間内の利用者を撮影する画像撮影装置である。画像撮影装置は、利用者を撮影して撮影画像を生成する撮影部と、撮影空間内に設置され、撮影時に瞬間的な照明光を照射する第１光源と、第１光源を覆う外装部と、を備える。外装部に、第１光源から照射される照明光のうち、少なくとも、装置平面視で撮影部の光軸方向に平行となる方向、または真下方向のうちの所定方向に向かう照明光を遮光する遮光部が設けられている。
【発明の効果】
【０００８】
本発明によれば、特定の方向からの光が照射されたような印象を与え、陰影が豊富な被写体像を撮影できる。
【図面の簡単な説明】
【０００９】
【図１】本発明の一実施形態である写真シール作成装置の斜視図である。
【図２】写真シール作成装置の斜視図である。
【図３】図１の写真シール作成装置にカーテンを取り付けた状態を示す斜視図である。
【図４】写真シール作成ゲーム中の利用者の空間移動を説明するための図である。
【図５】事前選択部の正面図である。
【図６】撮影空間前方部の正面図である。
【図７】撮影空間後方部における背景部の正面図である。
【図８】撮影空間後方部における天井ストロボおよび側面ストロボを示す正面図である。
【図９】撮影空間後方部における天井ストロボおよび側面ストロボを示す一部拡大図である。
【図１０】編集ユニットの編集空間側の正面図である。
【図１１】編集ユニットの左側面図である。
【図１２】写真シール作成装置の内部構成を示すブロック図である。
【図１３】写真シール作成装置の機能ブロックを示すブロック図である。
【図１４】写真シール作成装置による写真シール作成ゲームに関する一連の動作を示すフローチャートである。
【図１５】背面パネルを取り外した状態で示した写真シール作成装置の斜視図である。
【図１６】上ストロボの外観の構成例を示した図である。
【図１７】乳白アクリル板を取り外した状態の上ストロボの内部の構成例を示した図である。
【図１８】従来の天井ストロボの外観の構成例を示した図である。
【図１９】乳白アクリル板を取り外した状態の天井ストロボの内部の構成例を示した図である。
【図２０Ａ】上ストロボと従来の天井ストロボとを有する写真シール作成装置における課題を説明した図である。
【図２０Ｂ】上ストロボと従来の天井ストロボとを有する写真シール作成装置における課題を説明した図である。
【図２１】天井ストロボの外観の構成例を示した図であって、天井ストロボを前面側から見た斜視図である。
【図２２】天井ストロボの外観の構成例を示した図であって、天井ストロボを後面側から見た斜視図である。
【図２３】外装部の後面部を取り外した状態の天井ストロボの内部の構成例を示した図である。
【図２４】本実施の形態による効果を説明した図である。
【図２５】本実施の形態による効果を説明した図である。
【図２６】右側面ストロボの外観の構成例を示した図である。
【図２７】カバーを取り外した状態の右側面ストロボの内部の構成例を示した図である。
【図２８】天井ストロボにおいて、ストロボ発光管の左右に２枚の仕切板が設けられている場合の外装部の遮光部の配置のバリエーションを示した図である。
【図２９】天井ストロボにおいて、仕切板が設けられない場合の遮光部の配置のバリエーションを示した図である。
【図３０】天井ストロボの外形形状のバリエーションを示した図である。
【図３１】天井ストロボが椀状の形状を有する場合における遮光部の配置のバリエーションを示した図である。
【図３２】上ストロボのストロボ発光管の形状のバリエーションを示した図である。
【図３３】上ストロボ及び天井ストロボの配置のバリエーションを示した図である。
【図３４】上ストロボ及び天井ストロボの配置のバリエーションを示した図である。
【図３５Ａ】第１光源の配置位置のバリエーションを示した図である。
【図３５Ｂ】天井ストロボの低反射部の色のバリエーションを示した図である。
【図３６】実施の形態３におけるストロボの配置等を示した図である。
【図３７】実施の形態４におけるストロボの配置等を示した図である。
【図３８】実施の形態５における天井ストロボの構造を模式的に示した断面図である。
【発明を実施するための形態】
【００１０】
以下、本発明の具体的な実施の形態について添付の図面を参照しながら説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、奥行および幅などの寸法は、実際の形状および寸法を反映させたものではなく、図面の明瞭化と簡略化のために適宜変更している。
【００１１】
本発明の一実施の形態である写真シール作成装置は、撮影や編集等を利用者にゲーム（遊戯サービス）として行わせ、その撮影・編集した画像を、写真シールやデータとして利用者に提供するゲーム装置（遊戯サービス提供装置）である。写真シール作成装置は、例えば、ゲームセンタ、ショッピングモールおよび観光地の店舗等に設置される。
【００１２】
写真シール作成装置が提供するゲームにおいて、利用者は、写真シール作成装置に設けられたカメラを用いて自分自身等を撮影する。利用者は、その撮影画像に対して、前景画像および／または背景画像を合成したり、また、編集用合成用画像としてのペン画像入力やスタンプ画像入力等の編集機能（落書き編集機能）を用いたりして編集を行い、撮影画像を彩り豊かなものにデザインする。そしてゲーム終了後、利用者は、編集した画像が印刷された写真シール等を成果物として受け取る。または、写真シール作成装置は編集した画像を利用者の携帯端末に提供し、利用者は携帯端末により成果物を受け取ることもできる。
【００１３】
（写真シール作成装置の構成）
図１から図３は、写真シール作成装置１の外観の構成例を示す斜視図である。写真シール作成装置１は、撮影画像や編集画像を提供するゲーム機である。写真シール作成装置１は、画像をシール紙に印刷したり、画像を利用者の携帯端末上で閲覧可能にするためにその画像をサーバに送信したりすることで、利用者に画像を提供する。写真シール作成装置１の利用者は、主に女子高生などの若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１４】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が華やかな画像に編集される。利用者は、編集済みの画像である編集画像が印刷されたシール紙を受け取って一連のゲームを終了させる。
【００１５】
図１に示すように、写真シール作成装置１は、基本的に、撮影ユニット１１と編集ユニット１２とを備えている。
【００１６】
撮影ユニット１１は、事前選択操作部２０、撮影操作部２１、背景部２２、および利用者立ち位置部２３から構成される。事前選択操作部２０は、撮影操作部２１の側面に設置される。事前選択操作部２０の前方の空間が、事前選択処理が行われる事前選択空間となる。また、撮影操作部２１と背景部２２とは、所定の距離を隔てて設けられており、撮影操作部２１と背景部２２との間には、利用者が所定の位置に立ち、撮影用のポーズをとるための利用者立ち位置部が設けられている。本実施形態では、撮影操作部２１と、背景部２２と、利用者立ち位置部２３とが設けられた空間を、撮影を行う撮影空間と称し、撮影空間のうち、撮影操作部２１が設けられた空間を撮影空間前方部、および背景部２２と利用者立ち位置部２３とが設けられた空間を撮影空間後方部と称する。
【００１７】
事前選択操作部２０は、事前選択処理として、写真シール作成装置１によって提供されるゲームを紹介するガイダンスを行ったり、撮影空間で行われる撮影処理における各種の設定を利用者に選択させるための処理を行ったりする。事前選択操作部２０には、利用者が代金を投入する硬貨投入口や、各種の操作に用いられるタッチパネルモニタなどが設けられる。事前選択操作部２０は、撮影空間の空き状況に応じて、適宜、事前選択空間にいる利用者を撮影空間へと案内する。
【００１８】
撮影操作部２１には、利用者を被写体として撮影するための装置が設置されている。撮影操作部２１は、撮影空間に入った利用者から見て正面、すなわち撮影空間前方部に位置する。撮影操作部２１には、カメラや、各種の操作に用いられるタッチパネルモニタなどが設けられる。撮影空間前方部を正面に見ている利用者からみて左側の面を左側面、右側の面を右側面とすると、撮影操作部２１の左側面には側面パネル４１Ａが設けられ、右側面には側面パネル４１Ｂが設けられる。さらに、撮影空間前方部を正面に見ている利用者からみて、撮影操作部２１の正面奥には正面パネル４２が設けられる。本実施形態では、側面パネル４１Ａに、上述した事前選択操作部２０が設置されている。なお、事前選択操作部２０は、側面パネル４１Ｂに設置されるようにしてもよいし、側面パネル４１Ａ，４１Ｂの両方に設置されるようにしてもよい。
【００１９】
背景部２２は、背面パネル５１、側面パネル５２Ａ、および側面パネル５２Ｂを備えている。背面パネル５１は、撮影空間前方部を正面に見ている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２０】
側面パネル４１Ａと側面パネル５２Ａは、ほぼ同一平面に設けられる。側面パネル４１Ａには、縦フレーム２４Ａが取り付けられ、縦フレーム２４Ａの上には側面フレーム２５Ａ、縦フレーム２４Ａの下には連結フレーム２６Ａが取り付けられる。側面パネル４１Ａと側面パネル５２Ａは、縦フレーム２４Ａ、側面フレーム２５Ａ、および連結フレーム２６Ａを介して、連結される。
【００２１】
側面パネル４１Ｂと側面パネル５２Ｂも同様に、ほぼ同一平面に設けられる。側面パネル４１Ｂには、縦フレーム２４Ｂが取り付けられ、縦フレーム２４Ｂの上には側面フレーム２５Ｂ、縦フレーム２４Ｂの下には連結フレーム２６Ｂが取り付けられる。側面パネル４１Ｂと側面パネル５２Ｂは、縦フレーム２４Ｂ、側面フレーム２５Ｂ、および連結フレーム２６Ｂを介して、連結される。
【００２２】
連結フレーム２６Ａ，２６Ｂには、床部２３Ａが取り付けられており、床部２３Ａは、利用者立ち位置部２３だけでなく、背景部２２の下方まで延びて形成されている。
【００２３】
なお、背面パネル５１の撮影空間側の面には、例えば緑色のクロマキー用のシートが、上下に昇降可能に取り付けられる。撮影時には、クロマキー用のシートが降りてきて、背面パネル５１の撮影空間側の面を覆い、撮影終了時には、シートが巻き取られて上昇する。写真シール作成装置１は、クロマキー用のシートを背景として撮影することで、撮影処理や編集処理においてクロマキー合成を行う。これにより、利用者が所望する背景画像がシートの部分に合成される。
【００２４】
側面パネル４１Ａ、縦フレーム２４Ａ、側面フレーム２５Ａ、連結フレーム２６Ａ、および側面パネル５２Ａに囲まれることによって形成される開口が利用者立ち位置部２３の出入り口となる。また、側面パネル４１Ｂ、縦フレーム２４Ｂ、側面フレーム２５Ｂ、連結フレーム２６Ｂ、および側面パネル５２Ｂに囲まれることによって形成される開口も利用者立ち位置部２３の出入り口となる。
【００２５】
写真シール作成装置１がゲームセンタ等に設置される場合には、これらの利用者立ち位置部２３の出入り口に、図３に示すように、カーテン２が取り付けられる。利用者立ち位置部２３に立って撮影を行っている利用者は、カーテン２によって外部からは見えないようになっている。
【００２６】
編集ユニット１２は、撮影画像に編集を施すための装置である。編集ユニット１２は、一方の側面が撮影操作部２１の正面パネル４２に接するようにして、撮影ユニット１１に連結している。
【００２７】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００２８】
編集ユニット１２の正面側は、面６１と、面６１の上方に形成された斜面６２から構成される。面６１は、床面に対して垂直で、撮影操作部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００２９】
編集ユニット１２の上方にはカーテンレール２７が取り付けられる。カーテンレール２７は、３本のレール２７Ａ，２７Ｂ，２７Ｃが、組み合わせられて構成される。３本のレール２７Ａ，２７Ｂ，２７Ｃは、上から見たときの形状がコの字状となるように組み合わせられる。平行に設けられるレール２７Ａとレール２７Ｂの一端は、側面フレーム２５Ａ，２５Ｂにそれぞれ固定され、レール２７Ａとレール２７Ｂの他端は、レール２７Ｃの両端にそれぞれ接合される。
【００３０】
カーテンレール２７には、編集ユニット１２の正面前方の空間と背面前方の空間が外から見えないように、図３に示すカーテン３，４が取り付けられる。カーテン３，４により囲まれる編集ユニット１２の正面前方の空間と背面後方の空間が、利用者が編集作業を行う編集空間となる。なお、編集ユニット１２の正面前方に取り付けられたカーテン３は、二重になっている。
【００３１】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３２】
（利用者の移動）
ここで、画像作成ゲームの流れと、それに伴う利用者の移動について説明する。図４は、写真シール作成ゲーム中の利用者の空間移動を説明するための図である。
【００３３】
まず、利用者は、事前選択操作部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００３４】
事前選択作業を終えた利用者は、白抜き矢印＃１で示すように、側面パネル４１Ａと側面パネル５２Ａの間の出入り口Ｇ１から、撮影操作部２１と背景部２２の間に形成された撮影空間後方部Ａ１−２の利用者立ち位置部２３に入る。そして利用者は、撮影空間前方部Ａ１−１の撮影操作部２１に設けられたカメラやタッチパネルモニタなど利用して撮影作業を行う。
【００３５】
撮影作業を終えた利用者は、白抜き矢印＃２で示すように出入り口Ｇ１から撮影空間後方部Ａ１−２の利用者立ち位置部２３を出て編集空間Ａ２−１に移動するか、または、白抜き矢印＃３で示すように出入り口Ｇ２から撮影空間後方部Ａ１−２の利用者立ち位置部２３を出て編集空間Ａ２−２に移動する。
【００３６】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影操作部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００３７】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００３８】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の画像作成ゲームを終える。
【００３９】
（事前選択部の構成）
次に、各装置の構成について説明する。図５は、事前選択操作部２０の正面図である。
【００４０】
事前選択操作部２０の上側にはタッチパネルモニタ７１が設けられる。タッチパネルモニタ７１は、ＬＣＤ(Liquid Crystal Display)などのモニタと、それに積層されたタッチパネルにより構成される。タッチパネルモニタ７１は、各種のＧＵＩ(Graphical User Interface)を表示し、利用者の選択操作を受け付ける機能を備えている。タッチパネルモニタ７１には、撮影に関するコースの選択、編集の対象となる編集対象画像における背景となる画像の選択、作成画像のレイアウト、画像作成ゲーム中に流れるＢＧＭ（Back Ground Music）、音および音声の少なくともいずれかの選択、並びに利用者の名前の入力などを行わせる事前選択処理に用いられる画面が表示される。
【００４１】
撮影に関するコースは、利用者が２人で撮影を行う２人用コースと、３人以上で撮影を行う大人数コースとが用意されている。また、男女のカップルで撮影を行うカップルコースが用意されていてもよい。
【００４２】
タッチパネルモニタ７１の下方には、スピーカ７２が設けられる。スピーカ７２は、事前選択処理の案内音声、ＢＧＭ、効果音などを出力する。また、スピーカ７２に隣接するようにして、利用者が硬貨を入れる硬貨投入返却口７３が設けられる。
【００４３】
（撮影部の構成）
図６は、撮影操作部２１の正面図である。撮影操作部２１は、側面パネル４１Ａ、側面パネル４１Ｂ、および正面パネル４２に囲まれるようにして構成される。
【００４４】
正面パネル４２の中央には、カメラユニット８１が設けられる。カメラユニット８１は、カメラ９１およびタッチパネルモニタ９２から構成される。
【００４５】
カメラ９１は、例えば一眼レフカメラであり、レンズが露出するようにカメラユニット８１の内部に取り付けられる。カメラ９１は、ＣＣＤ(Charge Coupled Device)イメージセンサやＣＭＯＳ（Complementary Metal Oxide Semiconductor）イメージセンサなどの撮像素子を有し、撮影空間後方部Ａ１−１にいる利用者を撮影する。カメラ９１により取り込まれた動画像（以下、ライブビュー表示画像ともいう）は、タッチパネルモニタ９２にリアルタイムで表示される。撮影が指示されたときなどの所定のタイミングでカメラ９１により取り込まれた静止画像は、撮影画像として保存される。
【００４６】
タッチパネルモニタ９２は、カメラ９１の下方に設けられる。タッチパネルモニタ９２は、ＬＣＤなどのモニタと、それに積層されたタッチパネルにより構成される。タッチパネルモニタ９２は、カメラ９１により取り込まれた動画像を表示するライブビューモニタとしての機能と、各種のＧＵＩを表示し利用者の選択操作を受け付ける機能を備えている。当該選択操作の具体例としては、撮影開始および終了の指示（撮影の制御指示）などが挙げられる。タッチパネルモニタ９２には、カメラ９１により取り込まれた動画像（ライブビュー画像）や静止画像（撮影画像）が表示される。
【００４７】
カメラユニット８１の上方には、曲面の発光面を利用者に向けた上ストロボ８２が設置される。上ストロボ８２は、正面上方から利用者の顔および上半身に光を照射する。
【００４８】
また、カメラユニット８１の下方には、利用者の下半身および足元に光を照射する足元ストロボ８５が設けられる。なお、上ストロボ８２と足元ストロボ８５には、ストロボと蛍光灯が含まれている。
【００４９】
足元ストロボ８５は、撮影空間前方部Ａ１−１に設けられており、タッチパネルモニタ９２よりも撮影空間後方部Ａ１−２側に突出して設置されている（図１参照）。
【００５０】
足元ストロボ８５上には、シャッターボタン９５が設置されている。本実施形態では、シャッターボタン９５の押下により撮影動作が開始される手動撮影モードと、シャッターボタン９５が所定時間押下されない場合に、自動的に撮影動作が開始される強制撮影モード、および利用者の選択により、シャッターボタン９５の押下によらず自動的に撮影動作が開始される自動撮影モードを備えている。
【００５１】
なお、図示はしないが、正面パネル４２の例えば天井付近には、スピーカが設けられる。そのスピーカは、撮影処理の案内音声、ＢＧＭ、効果音などを出力する。
【００５２】
（背景部の構成）
図７は、背景部２２の撮影空間後方部Ａ１−２側の正面図である。
【００５３】
背面パネル５１の上部には、シート可動部１２２が設けられている。シート可動部１２２は、撮影時に、クロマキーシート１２１を図７に示す位置まで降下させ、クロマキーシート１２１は、背面パネル５１の撮影空間後方部Ａ１−２側（図中、手前側）の面を覆う。撮影が終了すると、シート可動部１２２は、クロマキーシート１２１を巻き取り、シート可動部１２２内に収容する。クロマキーシート１２１の色は、例えば緑色とされる。なお、クロマキーシート１２１は、背面パネル５１の撮影空間後方部Ａ１−２側の面に予め貼り付けられていてもよい。
【００５４】
なお、図示はしないが、側面パネル５２Ａ，５２Ｂの撮影空間後方部Ａ１−２側の面にも、クロマキーシート１２１と同様に、クロマキーシートが貼り付けられていてもよい。
【００５５】
（天井ストロボと側面ストロボの構成）
図８は、背景部２２側から、撮影空間前方部Ａ１−１および撮影空間後方部Ａ１−２側を見た正面図、図９は、天井ストロボ１００と、右側面ストロボ８７の周辺を示す一部拡大斜視図である。
【００５６】
撮影空間前方部Ａ１−１および撮影空間後方部Ａ１−２の上方には、撮影操作部２１の正面パネル４２、側面パネル４１Ａ，４１Ｂ、および側面パネル５２Ａ，５２Ｂに囲まれた天井１５が形成される。天井１５の撮影空間後方部Ａ１−２側には、天井ストロボ８６が設けられる。天井ストロボ８６は、写真シール作成装置１の奥行き方向（背景部２２から撮影操作部２１に向かう方向）においては、背景部２２と撮影操作部２１に挟まれる利用者立ち位置部２３の中央位置よりも、やや撮影操作部２１寄りの位置に設けられる。また、天井ストロボ８６は、写真シール作成装置１の幅方向（撮影操作部２１の側面パネル４１Ａから側面パネル４１Ｂに向かう方向）においては、側面パネル４１Ａ側または側面パネル４１Ｂ側のいずれにも偏ることなく、ほぼ中間位置に設けられる。天井ストロボ８６の内部には、ストロボの他に蛍光灯が設けられている。これにより、天井ストロボ８６は、撮影空間の照明としても機能する。
【００５７】
側面フレーム２５Ｂおよび側面フレーム２５Ａの撮影空間後方部Ａ１−２側には、それぞれ、右側面ストロボ８７および左側面ストロボ８８が取り付けられる。右側面ストロボ８７および左側面ストロボ８８は、写真シール作成装置１の奥行き方向（背景部２２から撮影操作部２１に向かう方向）においては、天井ストロボ８６よりも、やや背景部２２の位置に設けられる。右側面ストロボ８７および左側面ストロボ８８は、利用者立ち位置部２３に立つ利用者に、それぞれ右横上方および左横上方からストロボ光を照射するように、それぞれの照射面を床部２３Ａ側に傾けて設置される。
【００５８】
（編集ユニットの構成）
図１０は、編集ユニット１２の編集空間Ａ２−１側の正面図である。
【００５９】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。例えば、２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６０】
図１１は、編集ユニット１２の左側面図である。
【００６１】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００６２】
（写真シール作成装置の内部構成）
図１２は、写真シール作成装置１の内部の構成例を示すブロック図である。図１２において、上述した構成と同じ構成には同じ符号を付してある。重複する説明については適宜省略する。
【００６３】
制御部２０１はＣＰＵ(Central Processing Unit)などにより構成される。制御部２０１は、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ(Random Access Memory)２０７が接続される。制御部２０１には、事前選択操作部２０、撮影操作部２１、背景部２２、利用者立ち位置部２３、編集操作部２８Ａ，２８Ｂ、および印刷操作部２９の各構成も接続される。
【００６４】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００６５】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００６６】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００６７】
ＲＯＭ２０６は、制御部２０１において実行されるプログラムやデータを記憶する。ＲＡＭ２０７は、制御部２０１が処理するデータやプログラムを一時的に記憶する。
【００６８】
事前選択操作部２０は、事前選択空間Ａ０にいる利用者を対象とした事前選択処理を実現する。事前選択操作部２０には、タッチパネルモニタ７１、スピーカ７２、および硬貨処理部７４が備えられている。
【００６９】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００７０】
硬貨処理部７４は、硬貨投入返却口７３への硬貨の投入を検出する。硬貨処理部７４は、所定の金額分の硬貨が投入されたことを検出した場合、ゲームの開始を指示する起動信号を制御部２０１に出力する。
【００７１】
撮影操作部２１は、撮影空間後方部Ａ１−２の利用者立ち位置部２３にいる利用者を対象とした撮影処理を実現する。撮影操作部２１には、上ストロボ８２、足元ストロボ８５、カメラ９１、タッチパネルモニタ９２、およびスピーカ９３が備えられている。
【００７２】
上ストロボ８２、および足元ストロボ８５は、撮影空間前方部Ａ１−１内に配置され、制御部２０１から供給される照明制御信号に従って発光する。
【００７３】
利用者立ち位置部２３には、天井ストロボ８６、右側面ストロボ８７、および左側面ストロボ８８が備えられており、これらのストロボも、制御部２０１から供給される照明制御信号に従って発光する。
【００７４】
背景部２２には、シート可動部１２２が備えられている。シート可動部１２２は、制部部２０１から供給される制御信号に従って、クロマキーシートの降下と、巻き取りによる上昇を行う。
【００７５】
カメラ９１は、制御部２０１によるシャッタ制御に従って撮影を行い、撮影によって得られた撮影画像（画像データ）を制御部２０１に出力する。
【００７６】
編集操作部２８Ａは、編集空間Ａ２−１にいる利用者を対象とした編集処理を実現する。編集操作部２８Ａは、照明装置６４、タブレット内蔵モニタ１３１、タッチペン１３２Ａ，１３２Ｂ、およびスピーカ１３３を備えている。編集操作部２８Ｂは、編集空間Ａ２−２にいる利用者を対象とした編集処理を実現し、編集操作部２８Ａと同一の構成を有する。なお、以下、編集操作部２８Ａ，２８Ｂを特に区別しない場合には、単に、編集操作部２８という。
【００７７】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００７８】
印刷操作部２９は、印刷待ち空間Ａ３にいる利用者に、作成画像を印刷済みのシール紙を提供する印刷処理を実現する。印刷操作部２９は、プリンタ１４０を含むように構成される。プリンタ１４０にはシール紙ユニット１４１が装着される。
【００７９】
プリンタ１４０は、制御部２０１から供給された印刷データに基づいて、編集画像をシール紙ユニット１４１に収納されているシール紙１４２に印刷し、シール紙排出口１６１に排出する。
【００８０】
（写真シール作成装置の機能ブロック）
図１３は、写真シール作成装置１の機能ブロックを示すブロック図である。写真シール作成装置１は、事前選択部２１０、撮影部２２０、編集部２３０、および印刷部２４０として機能する。また、制御部２０１は、本発明の写真シール作成処理プログラムを実行することにより、事前選択処理部３０１、撮影処理部３０２、編集処理部３０５、および印刷処理部３０６として機能する。
【００８１】
事前選択部２１０は、上述した事前選択操作部２０と、事前選択処理部３０１とを備える。事前選択処理部３０１は、事前選択操作部２０におけるタッチパネルモニタ７１、スピーカ７２、および硬貨処理部７４を制御することで、事前選択処理を行う。事前選択処理部３０１は、撮影空間において行われる撮影に関するコースの選択のための選択画面等をタッチパネルモニタ７１に表示させる。また事前選択処理部３０１は、タッチパネルモニタ７１に対する、利用者の操作入力を受け付ける。具体的には、事前選択処理部３０１は、タッチパネルモニタ７１に表示された選択画面に対する選択の操作入力、および利用者の名前の入力等を受け付ける。また事前選択処理部３０１は、各種の選択操作を説明するガイダンスの出力を制御する。事前選択処理部３０１は、各種の選択操作を説明する画面をタッチパネルモニタ７１に表示させたり、各種の選択操作を説明する音声をスピーカ７２から出力させたりする。
【００８２】
撮影部２２０は、上述した撮影操作部２１と、利用者立ち位置部２３と、背景部２２と、撮影処理部３０２とを備える。撮影処理部３０２は、撮影操作部２１におけるカメラ９１、タッチパネルモニタ９２、スピーカ９３、上ストロボ８２、および足元ストロボ８５を制御し、また、利用者立ち位置部２３における天井ストロボ８６、右側面ストロボ８７、および左側面ストロボ８８を制御し、さらに、背景部２２におけるシート可動部１２２を制御することで、撮影処理を行う。撮影処理部３０２は、タッチパネルモニタ９２の表示を制御し、カメラ９１に取り込まれた動画像をタッチパネルモニタ９２にライブビュー表示させたり、撮影結果である撮影画像を表示させたりする。また撮影処理部３０２は、タッチパネルモニタ９２に対する、利用者の操作入力を受け付ける。また撮影処理部３０２は、カメラ９１を制御し、利用者を被写体として撮影する。さらに撮影処理部３０２は、撮影作業の進め方などを説明するガイダンスの画面をタッチパネルモニタ９２に表示させたり、撮影の進め方などを説明するガイダンスの音声をスピーカ９３から出力させたりする。
【００８３】
また、撮影処理部３０２は、カメラ９１に取り込まれた動画像に合成用画像を合成し、タッチパネルモニタ９２にライブビュー表示画像をライブビュー表示させる。したがって、利用者は、仕上がりイメージを確認しながら撮影を行うことができる。また、後述する編集部２３０における編集処理を合成用画像に反映させ、撮影画像に合成して、編集操作部２８Ａ，２８Ｂのタブレット内蔵モニタ１３１に表示させる。
【００８４】
編集部２３０は、上述した編集操作部２８Ａ，２８と、編集処理部３０５とを備える。編集処理部３０５は、編集操作部２８Ａ，２８Ｂにおけるタブレット内蔵モニタ１３１、およびスピーカ１３３を制御することで、編集処理を行う。編集処理部３０５は、タブレット内蔵モニタ１３１に対する、タッチペン１３２Ａ，１３２Ｂを用いた利用者の操作入力を受け付ける。また、編集処理部３０５は、タブレット内蔵モニタ１３１に表示させた選択画面に対する選択操作に応じて、編集対象画像に所定の画像処理を施す。また、編集処理部３０５は、編集の進め方などを説明するガイダンスの出力を制御する。例えば、編集処理部３０５は、編集の進め方などを説明するガイダンスの画面をタブレット内蔵モニタ１３１に表示させたり、編集の進め方などを説明するガイダンスの音声をスピーカ１３３から出力させたりする。また、編集処理部３０５は通信部２０３を制御し、インターネットなどのネットワークを介した通信に関する処理を行う。また、編集処理部３０５は、印刷操作部２９のプリンタ１４０を制御することで、印刷処理を行ってもよい。
【００８５】
印刷部２４０は、上述した印刷操作部２９と、印刷処理部３０６とを備える。印刷処理部３０６は、編集処理部３０５から印刷データを受け取り、印刷操作部２９のプリンタ１４０を制御することで、印刷処理を行う。
【００８６】
このように、写真シール作成装置１は課金と引き換えに、利用者の気持ちが盛り上がるような仕掛け（撮影ポーズの選択、ＢＧＭ、ナレーションなど）が種々施された写真シール作成ゲームを提供する。そのため、写真シール作成装置１での作成画像は、利用者の楽しい表情が引き出された画像や、趣向を凝らした、華やかな画像となる。
【００８７】
また、写真シール作成装置１ではライティングなどの設備が充実しており、そして画像の変形処理（例えば被写体の目の大きさや脚の長さなど）および色の補正（被写体の肌の美白処理など）などを高度な技術で行えるため、写真シール作成装置１で作成した画像は、利用者の写りが良い画像となる。
【００８８】
また、写真シール作成装置１以外での画像処理（例えば写真加工のためのアプリケーションなどでの処理）に比べて容易に編集（画像への落書き）ができ、当該編集のバリエーションも豊かである。この点からも、写真シール作成装置１での作成画像は写真シール作成装置１以外で撮影および画像処理された画像に比べ、比較的華やかに仕上がるといえる。
【００８９】
（写真シール作成ゲームの流れ）
次に、利用者が写真シール作成装置１において写真シール作成ゲームを行う処理の流れについて、図１４を用いて説明する。図１４は、写真シール作成装置１におけるゲームの開始から当該ゲームで写真シールを作成するまでの処理の流れを示すフローチャートである。
【００９０】
ゲーム開始前の状態においては、写真シール作成装置１の事前選択処理部３０１として機能する制御部２０１は、事前選択操作部２０のタッチパネルモニタ７１に、硬貨の投入を促すメッセージを表示させる。また、制御部２０１は、図１４に示すように、硬貨処理部７４からの起動信号の有無に基づいて、硬貨投入返却口７３に硬貨が投入されたか否かを判定する（Ｓ１）。制御部２０１は、硬貨投入返却口７３に硬貨が投入されていないと判定した場合には（Ｓ１：ＮＯ）、硬貨が投入されたか否かの判定処理を継続する。
【００９１】
ゲームを開始しようとする利用者は、事前選択操作部２０の前方の空間である事前選択空間Ａ０において硬貨投入返却口７３に硬貨を投入する。硬貨投入返却口７３へ硬貨が投入されると、硬貨処理部７４からゲームの開始を指示する起動信号が出力される。制御部２０１は、硬貨処理部７４から起動信号を入力すると、硬貨投入返却口７３に硬貨が投入されたと判定し（Ｓ１：ＹＥＳ）、利用者に対して事前接客処理を実行する（Ｓ２）。
【００９２】
事前接客処理においては、制御部２０１は、タッチパネルモニタ７１に、コースの選択、名前の入力、およびデザインの選択等を促すメッセージ等を表示させる。利用者が、タッチパネルモニタ７１に表示されるメッセージ等に従って各種の選択または入力を行うと、制御部２０１は、コース、名前、デザイン、および印刷レイアウト等の設定を行う。
【００９３】
事前接客処理が終了すると、制御部２０１は、利用者に対して撮影空間に移動して撮影を行うことを促すメッセージ等をタッチパネルモニタ７１に表示させる。撮影処理部３０２として機能する制御部２０１は、撮影操作部２１のタッチパネルモニタ９２に、スタートボタンを表示させる。撮影空間に移動した利用者が、タッチパネルモニタ９２に表示されたスタートボタンにタッチすると、制御部２０１は、スタートボタンがタッチされたことを読み取り、撮影処理を開始する（Ｓ３）。
【００９４】
撮影処理においては、制御部２０１は、利用者を立ち位置に誘導するための誘導表示をタッチパネルモニタ９２に行わせる。さらに、制御部２０１は、サンプルポーズをタッチパネルモニタ９２に表示させる。また同時に、制御部２０１は、カメラ９１で取得している動画像をタッチパネルモニタ９２にライブビュー表示させる。
【００９５】
また、制御部２０１は、シャッターボタン９５を促す表示、場合に応じて残り時間または残り枚数の表示、自動撮影ボタンおよび終了ボタンの表示等をタッチパネルモニタ９２に行わせる。
【００９６】
制御部２０１は、合成用背景画像や肌の色の修正のため等の合成用画像と撮影中の動画像を合成したライブビュー表示画像をタッチパネルモニタ９２にライブビュー表示させる（Ｓ４）。これにより、利用者は、仕上がりイメージを確認しながらポーズを取ることができる。
【００９７】
撮影処理部３０２として機能する制御部２０１は、タッチパネルモニタ９２の表示とスピーカ９３による音声でカウントダウンを行い、このカウントダウンの終了タイミングで、上ストロボ８２、足元ストロボ８５、天井ストロボ８６、右側面ストロボ８７、左側面ストロボ８８に照明制御信号を送信すると共にカメラ９１にシャッタ信号を送信する。
【００９８】
これにより、上ストロボ８２、足元ストロボ８５、天井ストロボ８６、右側面ストロボ８７、左側面ストロボ８８から閃光を照射し、照明された利用者が背景とともに写っている撮影画像をカメラ９１により取得する。本実施形態では、一例として、ステップＳ３からステップＳ４までの処理を複数回繰り返して複数枚の撮影画像を取得する。また、制御部２０１は、撮影画像に合成用画像を合成させた編集対象画像を記憶部２０２に記憶させる。
【００９９】
撮影終了後、制御部２０１は、編集ユニット１２において編集の対象とする編集対象画像を利用者に選択される処理を行う。具体的には、複数枚のサムネイルをタッチパネルモニタ９２に表示させ、利用者によってタッチされた画像を編集対象画像とする。
【０１００】
以上の処理の終了後、制御部２０１は、利用者に対して、編集空間Ａ２−１、または編集空間Ａ２−２のいずれか一方への移動を促す案内画面をタッチパネルモニタ９２に表示するとともに、音声による移動案内をスピーカ９３に出力する。
【０１０１】
そして、制御部２０１は、利用者による編集対象画像の編集を許容する編集処理を実行する（Ｓ５）。詳述すると、制御部２０１は、編集対象画像を、タブレット内蔵モニタ１４３に表示し、この編集対象画像に対して利用者がタッチペン１４５でスタンプ画像やペン画像などを描くことを許容し、編集画像を作成する。
【０１０２】
その後、制御部２０１は、利用者に対してシール紙排出口１６１が設けられた印刷待ち空間Ａ３への移動を促す案内画面をタブレット内蔵モニタ１３１に表示するとともに、音声による移動案内をスピーカ１３３に出力する。
【０１０３】
さらに、制御部２０１は、事前選択操作部２０において選択された印刷レイアウトに編集画像を配置して印刷用画像を作成し、この印刷用画像をシール紙１４２に印刷する印刷処理を実行する（Ｓ６）。
【０１０４】
印刷処理が終了すると、制御部２０１は、シール紙１４２の排出処理を実行し（Ｓ７）、印刷完了したシール紙１４２をシール紙排出口１６１から排出し、利用者に写真シールとして提供してゲームを終了する。このようにして、写真シール作成装置１により作成した利用者の撮影画像を、写真シールとして出力することができる。なお、詳細な説明は省略するが、本実施形態の写真シール作成装置１は、通信により、撮影画像を携帯端末等に出力することも可能である。
【０１０５】
図１５は、背面パネルを取り外した状態で示した写真シール作成装置の斜視図である。図１５に示すように、床部２３Ａには、主にアップ撮影（利用者の上半身を撮影する）時に推奨される（床表示、画面案内などで利用者に報知される）利用者の立ち位置（以下「指定立ち位置」という）を表示する立ち位置マーク３１が設けられている。
【０１０６】
＜上ストロボ及び天井ストロボの構成例＞
次に、上ストロボ８２及び天井ストロボ８６の構成についてより詳しく説明する。
【０１０７】
上ストロボ８２は、指定立ち位置に利用者が立った場合に、利用者の顔に照射されるように配置・調整されている。なお、本実施の形態では、上ストロボ８２をカメラの真上に配置した例を示しているが、上ストロボ８２のカメラに対する左右の位置関係は問わない。
【０１０８】
天井ストロボ８６は、顔が大きく写ってしまうことを嫌った利用者が撮影空間の後方に下がってしまった場合や、全身撮影などを行う場合に利用者の顔に照射されるように上ストロボ８２よりも背面側の天井１５に配置・調整されている。
【０１０９】
＜上ストロボの構成例＞
図１６は、上ストロボ８２の外観の構成例を示した図である。
【０１１０】
上ストロボ８２は、椀状の凸曲面を有する乳白アクリル板５６１を有する。乳白アクリル板５６１により、上ストロボ８２内部からの光が拡散され、その光が撮影空間内に照射される。
【０１１１】
図１７は、乳白アクリル板５６１を取り外した状態の上ストロボ８２の内部の構成例を示した図である。
【０１１２】
上ストロボ８２の内部で、円の略中心の位置には、ストロボ発光部５７１が設けられる。また、図中、ストロボ発光部５７１の左右には定常光光源５７２，５７３が設けられる。
【０１１３】
ストロボ発光部５７１には、延び形状、より具体的には直線的に延びる円筒形状を有するストロボ発光管５８１が設けられる。ストロボ発光管５８１の図中奥側には、側面視でＶ字をなす２平面から構成されるＶ字反射板５８２が設けられる。ストロボ発光管５８１は、平面視で長手方向が装置前後方向に平行となり、かつ水平面に対して交差するように、後方に約４５°傾斜させて配置されている。
【０１１４】
定常光光源５７２，５７３は、ＬＥＤ電球により構成された常時光源であり、静止画の撮影時だけでなく、利用者が撮影空間に入ってきたときから点灯している。すなわち、定常光光源５７２，５７３は、乳白アクリル板５６１を介して、カメラ９１の上方から定常光を照射する。なお、定常光光源５７２，５７３は電球型蛍光灯により構成されてもよい。
【０１１５】
＜従来の天井ストロボの構成及び課題＞
図１８は、従来の天井ストロボ３２の外観の構成例を示した図である。
【０１１６】
従来の天井ストロボ３２は、ストロボ発光管を覆う外装部として、カメラの光軸方向に平行な左右の側面を構成する金属製の側面板７３０と、左右の側面板７３０間を連結する半円筒形状の乳白アクリル板７３１を有する。このような天井ストロボ３２では、乳白アクリル板７３１により、ストロボを向けて照射している方向以外にも天井ストロボ３２内部からの光が拡散され、その光が撮影空間内全体に照射される。天井ストロボ３２の内部において左右の側面板７３０の近傍にはそれぞれ直方体形状の箱状のスピーカ（図１９参照）が配置されているとともに、乳白アクリル板７３１（外装部）において各スピーカの下面（音声出力口）に対向する位置にはそれぞれ矩形状の開口が設けられている。
【０１１７】
図１９は、乳白アクリル板７３１を取り外した状態の天井ストロボ３２の内部の構成例を示した図である。
【０１１８】
天井ストロボ３２の内部で、長手方向の中心には、ストロボ発光部７４１が設けられる。また、図中、ストロボ発光部７４１の左右には定常光光源７４２，７４３が設けられる。
【０１１９】
ストロボ発光部７４１は、側面視でＬ字をなす２平面から構成されるＬ字反射板７５１と、延び形状、より具体的には直線的に延びる円筒形状を有するストロボ発光管７５２とを有する。ストロボ発光管７５２は、その長手方向が写真シール作成装置１の装置幅方向に一致するように配置されている。装置幅方向とは、側面パネル５２Ａ，５２Ｂに垂直な方向である。
【０１２０】
定常光光源７４２，７４３は、ＬＥＤ電球により構成された常時光源であり、静止画の撮影時だけでなく、利用者が撮影空間に入ってきたときから点灯している。すなわち、定常光光源７４２，７４３は、乳白アクリル板７３１を介して、撮影空間の天井から定常光を照射する。なお、定常光光源７４２，７４３は電球型蛍光灯により構成されてもよい。
【０１２１】
図２０Ａ、図２０Ｂは、上ストロボ８２と従来の天井ストロボ３２とを有する写真シール作成装置における課題を説明した図である。
【０１２２】
写真シール作成装置の撮影空間の床部２３Ａには、撮影時における利用者の指定立ち位置Ｐ１が立ち位置マーク（３１、図１５参照）により示されている。指定立ち位置Ｐ１は、例えば、撮影空間の前後方向のほぼ中央付近に設けられている。ここで、利用者の中には、自分の顔が大きく写ってしまうことを嫌い、例えば図２０Ｂに示すように、撮影空間の背面パネル５１付近にまで後退して立つ者がいる。このように後退すると、上ストロボ８２から立ち位置までの距離が、上ストロボ８２から指定立ち位置Ｐ１までの距離よりも長くなるため、利用者の顔に当たる照明光Ｌ１が不足し、暗いイメージの写真となってしまう。これを解決するため、天井に天井ストロボ３２を設け、背面パネル５１付近にまで退がって立つ利用者の顔を天井ストロボ３２からの照明光Ｌ２により適切な明るさで照明できるように構成している。
【０１２３】
しかし、従来の天井ストロボ３２の外装部は、半透明な乳白アクリル板７３１で構成されているため、あらゆる方向に照明光Ｌ２が透過して照射される。また、乳白アクリル板７３１は比較的光を反射しやすい性質を有するため、図２０Ａに示すように、上ストロボ８２から照射された照明光Ｌ１の一部が指定立ち位置Ｐ１の方向に反射する。その結果、指定立ち位置Ｐ１に立った利用者に、上ストロボ８２からの照明光Ｌ１の直接光Ｌ１ｄだけでなく、天井ストロボ３２の外装部である乳白アクリル板７３１で反射した反射光Ｌ１ｒや、天井ストロボ３２から照射された照明光Ｌ２等、あらゆる方向からの光が照射される。そのため、特定の方向からの光が照射されたような印象の被写体像が得られず、陰影が乏しくなりがちであった。この課題を解決するために、本実施の形態の天井ストロボでは、以下の構成を採用している。
【０１２４】
＜本実施の形態の天井ストロボの構成例＞
図２１、図２２は、天井ストロボ８６の外観の構成例を示した図である。図２１は、天井ストロボ８６を前面側から見た斜視図であり、図２２は、天井ストロボ８６を後面側から見た斜視図である。
【０１２５】
天井ストロボ８６の外装部５１０は、装置幅方向（側面パネル５２Ａ，５２Ｂに垂直な方向）を長手方向とし、側面視で台形状の形状を有する。
【０１２６】
外装部５１０は、下面部５１１、前面部５１２、後面部５１３、及び左右の側面部５１４、５１５を有する。外装部５１０は、金属板で構成されている。下面部５１１には、複数の開口５１１ａ，５１１ｂが設けられている。開口５１１ａ，５１１ｂには、乳白アクリル板５３１，５３２が取り付けられている。下面部５１１及び後面部５１３には、複数の開口５１３ａ，５１３ｂ，５１３ｃが略等間隔で設けられている。開口５１３ａ，５１３ｂ，５１３ｃには、乳白アクリル板５３３，５３４，５３５が取り付けられている。
【０１２７】
図２３は、外装部５１０の後面部５１３を取り外した状態の天井ストロボ８６の内部の構成例を示した図である。
【０１２８】
天井ストロボ８６の内部で、長手方向の中心には、ストロボ発光部５４１が設けられる。また、図中、ストロボ発光部５４１の左側には、定常光光源５４２が設けられ、ストロボ発光部５４１の右側には、定常光光源５４３が設けられる。
【０１２９】
ストロボ発光部５４１には、延び形状、より具体的には直線的に延びる円筒形状を有するストロボ発光管５５２が設けられる。また、ストロボ発光管５５２の図中奥側には、ストロボ発光管５５２の長手方向に平行な方向から見てＶ字をなす２平面から構成されるＶ字反射板５５３が設けられる。ストロボ発光部５４１は、平面視で長手方向が装置前後方向に平行となり、かつ水平面に対して交差するように、後方に約４５°傾斜させて配置されている。この配置は、上ストロボ８２のストロボ発光管５８１の長手方向と、天井ストロボ８６のストロボ発光管５５２の長手方向とがほぼ平行になる配置である。これにより、上ストロボ８２及び天井ストロボ８６の配光方向（配光特性）を揃えることができる。したがって、利用者が撮影空間内で装置前後方向のどの位置にいても、ほぼ同じ光の当たり具合とすることができる。なお、上ストロボ８２のストロボ発光管５８１の長手方向と天井ストロボ８６のストロボ発光管５５２の長手方向とがなす角度が、６０°（所定角度）以下であれば、配光方向（配光特性）をほぼ揃え、利用者の立ち位置によらず、ほぼ同じ光の当たり具合を得ることができる。
【０１３０】
定常光光源５４２，５４３は、ＬＥＤ電球により構成された常時光源であり、静止画の撮影時だけでなく、利用者が撮影空間に入ってきたときから点灯している。すなわち、定常光光源５４２，５４３は、乳白アクリル板５３１，５３３を介して、撮影空間の天井から定常光を照射する。なお、定常光光源５４２，５４３は電球型蛍光灯により構成されるようにしてもよい。
【０１３１】
外装部５１０の内部には、外装部５１０により形成される空間を、天井ストロボ８６の長手方向において３個の空間に仕切る金属製の２枚の仕切板５２１，５２２が設けられている。そして、中央の空間にストロボ発光部５４１が配置され、左右の空間に定常光光源５４２，５４３が配置されている。
【０１３２】
外装部５１０の下面部５１１において、定常光光源５４２，５４３の下方となる位置には開口５１１ａ，５１１ｂがそれぞれ設けられ、開口５１１ａ，５１１ｂには乳白アクリル板５３１，５３２が取り付けられている。また、外装部５１０の後面部５１３において、ストロボ発光管５５２、定常光光源５４２及び定常光光源５４３の後方にはそれぞれ開口５１３ａ，５１３ｂ，５１３ｃが設けられ、これらの開口５１３ａ，５１３ｂ，５１３ｃにはそれぞれ乳白アクリル板５３３，５３４，５３５が取り付けられている。
【０１３３】
一方、前面部５１２には開口が設けられていない。また、下面部５１１のうち、ストロボ発光管５５２が配置される左右の仕切板５２１，５２２の間に位置する領域にも、開口が設けられていない。開口が設けられていないこれらの部分は、ストロボ発光管５５２から照射される照明光を遮光する遮光部５１０ｘを構成する。本実施の形態では、前面部５１２及び下面部５１１が金属板で構成されているため、遮光部５１０ｘの光透過率はゼロ（０）である。そのため、遮光部５１０ｘは、ストロボ発光管５５２から照射される光を完全に遮光する。なお、上述したように、外装部５１０の下面部５１１において、定常光光源５４２，５４３の後方には、開口５１１ａ，５１１ｂが設けられ、また、外装部５１０の後面部５１３において、定常光光源５４２，５４３の後方には、開口５１１ａ，５１１ｂが設けられている。つまり定常光光源５４２，５４３の下方及び後方には、遮光部を設けていないので、定常光光源５４２，５４３の光が不必要に遮蔽されることがなく、ライブビュー映像表示時に光量不足にならない。
【０１３４】
外装部５１０の後面部５１３の外面は、白色の塗装が行われている。後面部５１３は、ストロボ発光管５５２から外部に照射される光と同じ方向に光を反射するので、より特定の方向からの光が照射されたような印象の被写体像を利用者に提供することができる。
【０１３５】
これに対し、前面部５１２、下面部５１１、及び側面部５１４の外面は、黒色（暗色の一例）の塗装が行われ、後面部５１３及び乳白アクリル板５３１〜５３５の外面よりも低い光反射率を有する低反射部５１０ｙとして構成されている。
【０１３６】
天井ストロボ８６の外装部５１０が上記のように構成されていることで、定常光光源５４２及び定常光光源５４３から照射された照明光は、主として天井ストロボ８６の下方及び後方に拡散する。一方、ストロボ発光管５５２から照射された照明光は、主として天井ストロボ８６の後方に拡散する。
【０１３７】
図２４、図２５は、本実施の形態による効果を説明した図である。なお、本実施の形態の写真シール作成装置１では、足元ストロボ８５や右側面ストロボ８７、左側面ストロボ８８が設けられているが、上ストロボ８２及び天井ストロボ８６の照明光により被写体の顔等に生じる陰影について説明する上では、理解を容易にするために、足元ストロボ８５や右側面ストロボ８７及び左側面ストロボ８８の照明光の影響はないものとして説明する。本実施の形態以外の実施の形態やバリエーションについても同様とする。
【０１３８】
まず、図２４を参照して利用者が指定立ち位置Ｐ１に立っている場合について説明する。撮影時に上ストロボ８２、及び天井ストロボ８６が発光すると、上ストロボ８２から照射された照明光Ｌ１の直接光Ｌ１ｄが主として利用者に照射される。また、照明光Ｌ１の一部は、天井ストロボ８６の外装部５１０の前面部５１２や下面部５１１で利用者の方向に反射される。しかし、本実施形態では、前面部５１２や下面部５１１は、黒色に塗装されることで、低反射部５１０ｙとして構成されているため、反射光Ｌ１ｒの強さは、直接光Ｌ１ｄと比べ十分弱くなる。
【０１３９】
また、指定立ち位置Ｐ１は、天井ストロボ８６のほぼ直下に位置しているが、ストロボ発光部５４１の直下には下面部５１１（遮光部５１０ｘ）が存在するため、ストロボ発光管５５２から照射された照明光Ｌ２は指定立ち位置Ｐ１の方向に透過できない。つまり、ストロボ発光部５４１から照射された照明光Ｌ２のうち指定立ち位置Ｐ１に向かう方向の照明光Ｌ２ｄが遮光される。
【０１４０】
したがって、指定立ち位置Ｐ１に立つ利用者には、上ストロボ８２から照射された照明光Ｌ１のうちの直接光Ｌ１ｄが主として照射される。つまり、利用者には、特定の方向からの光が主として照射され、その結果、直接光Ｌ１ｄにより利用者の顔に陰影が生じやすくなる。
【０１４１】
次に、利用者が指定立ち位置Ｐ１よりも後方の背面パネル５１近傍に立っている場合について図２５を参照して説明する。なお、背面パネル５１近傍にまで後退した場合には、利用者によらず、背面パネル５１近傍のほぼ同じ位置に立つことが多い。この位置を天井ストロボ８６で適切に照射できるように、ストロボ発光管５５２の向き等が設定されている。この位置を、以下所定位置Ｐ２という。撮影時に上ストロボ８２及び天井ストロボ８６が発光すると、天井ストロボ８６から照射された照明光Ｌ２の直接光Ｌ２ｄが主として利用者に照射される。なお、上ストロボ８２から照射された照明光Ｌ１の直接光Ｌ１ｄや反射光Ｌ１ｒも利用者に到達するが、上ストロボ８２と利用者とは離れているため、天井ストロボ８６から照射された照明光Ｌ２の直接光Ｌ２ｄと比べ十分弱くなっている。そのため、指定立ち位置Ｐ１よりも後方の所定位置Ｐ２に立つ利用者には、天井ストロボ８６から照射された照明光Ｌ２のうちの直接光Ｌ２ｄが主として照射されることとなる。つまり、利用者には、特定の方向からの照明光Ｌ２ｄが主として照射され、その結果、直接光Ｌ２ｄにより利用者の顔に陰影が生じやすくなる。
【０１４２】
また、本実施の形態では、上ストロボ８２のストロボ発光管５８１及び天井ストロボ８６のストロボ発光管５５２は、いずれも延び形状を有し、それらの長手方向がほぼ平行になるように配置されている。そのため、上ストロボ８２及び天井ストロボ８６の配光方向（配光特性）が揃うこととなる。したがって、利用者が撮影空間内で前後方向のどの位置にいても、ほぼ同じ光の当たり具合とすることができる。なお、本実施の形態では、上ストロボ８２のストロボ発光管５８１と天井ストロボ８６のストロボ発光管５５２の長手方向がほぼ平行になるように配置したが、両者の長手方向がなす角度が、６０度以下、より好ましくは３０度以下であれば、ほぼ同じ光の当たり具合を得ることができる。
【０１４３】
また、本実施の形態では、天井ストロボ８６のストロボ発光管５５２の左右にも仕切板５２１，５２２が設けられている。そのため、ストロボ発光管５５２から出射された照明光が、天井ストロボ８６の長手方向（装置幅方向）にも広がりにくくなる。ここで、定常光光源５４２，５４３により天井ストロボ８６の下方の空間を適切に照明するためには、下面部５１１の、定常光光源５４２，５４３の下方部分に開口５１１ａ，５１１ｂを設ける必要がある。開口５１１ａ，５１１ｂを設けただけで、仕切り板５２１，５２２が存在しないと、ストロボ発光管５５２から出射された光が下面部５１１の開口５１１ａ，５１１ｂから下方に照射され、上述した陰影を生じさせる効果が減少することとなる。しかし、本発明では、仕切り板５２１，５２２を設けたことで、ストロボ発光管５５２から出射された照明光が、天井ストロボ８６の長手方向（装置幅方向）に広がりにくくなる。そのため、定常光光源５４２，５４３により天井ストロボ８６の下方を適切に照明しつつ、被写体像に適切な陰影を生じさせる効果を得ることができる。
【０１４４】
また、本実施の形態では、天井ストロボ８６の前面部５１２には、その長手方向の両方の端部側の部分を含め開口を設けていないので、開口を設けてアクリル板を設置したような場合と比べ、前面部５１２の長手方向の両方の端部側の部分での反射についても抑制することができる。
【０１４５】
ここで、本実施の形態では、右側面ストロボ８７及び左側面ストロボ８８に関しても、被写体像に陰影を生じさせる効果が得られるように構成されている。以下、これについて説明する。なお、右側面ストロボ８７と左側面ストロボ８８は左右対称に構成されている。そのため、これらを代表して右側面ストロボ８７について説明する。これらのストロボ８７，８８は、利用者の髪の毛に艶を出す光を照射するために配置されている。
【０１４６】
図２６は、右側面ストロボ８７の外観の構成例を示した図である。図２７は、カバーを取り外した状態の右側面ストロボ８７の内部の構成例を示した図である。
【０１４７】
右側面ストロボ８７は、ストロボ発光管６１３を収容する箱体６１１と、箱体６１１の前面を覆うカバー６１２とを有している。また、右側面ストロボ８７は、光の方向を規定するグリッド状のルーバ６１４と、ルーバ６１４の前面に配置される透明アクリル板６１５とを有する。カバー６１２には、ストロボ発光管６１３から出射される光を外部に通す開口６１２ａが設けられている。開口６１２ａの大きさ（面積）は、ルーバ６１４の大きさ（面積）よりも小さく設定されている。開口６１２ａの大きさ（面積）がルーバ６１４の大きさ（面積）よりも小さいのは、以下の理由による。本実施の形態の右側面ストロボ８７は、他モデルの写真シール作成装置の右側面ストロボ８７を流用している。しかし、この写真シール作成装置では、カバー６１２の開口６１２ａの大きさ（面積）がルーバ６１４の大きさ（面積）とほぼ同じである。本実施の形態の写真シール作成装置では、陰影に富んだ撮像画像を得ることを目的としているため、右側面ストロボ８７から光が広い範囲に照射されると、後方立ち位置の利用者の顔に光が照射されてしまうので、天井ストロボによって付けた陰影を少なくさせる可能性がある。これに対処するため、他モデルの写真シール作成装置の右側面ストロボのカバーを、元よりも小さい大きさ（面積）の開口６１２ａを有するカバー６１２に変更し、照射方向を絞り込むようにした。これにより、他モデルの右側面ストロボ８７をできるだけ有効に利用しつつ、陰影に富んだ撮像画像を得ることができるになった。なお、ルーバは白色でも黒色でもよいが、黒色であった方が光の方向を整えやすい。
【０１４８】
＜実施の形態１のまとめ＞
以上説明したように、本実施の形態の写真シール作成装置１（画像撮影装置の一例）は、撮影空間内の利用者を撮影する装置である。写真シール作成装置１は、利用者を撮影して撮影画像を生成するカメラ９１（撮影部の一例）と、撮影空間内に設置され、撮影時に瞬間的な照明光を照射するストロボ発光管５５２（第１光源の一例）と、ストロボ発光管５５２を覆う外装部５１０と、を備える。外装部５１０に、ストロボ発光管５５２から照射される照明光のうち、少なくとも、装置平面視でカメラ９１の光軸Ａｘ方向に平行となる方向、または真下方向のうちの所定方向に向かう照明光を遮光する遮光部５１０ｘが設けられている。
【０１４９】
上記構成により、ストロボ発光管５５２と遮光部５１０ｘとしての下面部５１１及び前面部５１２との間の距離を長くできるため、光が内部で乱反射しやすい状態となり、遮光部５１０ｘ以外から出射される光の方向性が整うようになる。そのため、写真シール作成装置１でこのストロボ発光管５５２を利用した場合に、利用者の表情などに陰影を作りやすくなる。
【０１５０】
本実施の形態では、撮影空間内に設置され、撮影時に瞬間的な照明光を照射するストロボ発光管５８１（第２光源の一例）をさらに備える。ストロボ発光管５８１は、撮影空間内での利用者の指定立ち位置Ｐ１を照明し、ストロボ発光管５５２は、撮影空間内において指定立ち位置Ｐ１に対し離間した所定位置Ｐ２を照明する。遮光部５１０ｘは、ストロボ発光管５５２から照射される照明光Ｌ２のうち指定立ち位置Ｐ１の方向に向かう照明光を遮光する。
【０１５１】
上記構成により、ストロボ発光管５５２から照射される照明光Ｌ２のうち指定立ち位置Ｐ１の方向に向かう照明光Ｌ２ｄを遮光部５１０ｘにより遮光することができる。そのため、ストロボ発光管５５２から照射される照明光Ｌ２ｄが重なることで陰影が乏しくなることが抑制される。指定立ち位置Ｐ１に立つ利用者は主としてストロボ発光管５８１から照射される照明光Ｌ１ｄにより照射される。そのため、特定の方向からの光が照射されたような印象を利用者に与える、陰影に富んだ被写体像を得ることができる。
【０１５２】
本実施の形態では、外装部５１０の外面の一部に、外装部５１０における他の部分よりも小さい光反射率を有する低反射部５１０ｙが設けられている。これにより、外装部５１０の外面においてストロボ発光管５８１から照射された照明光が外装部５１０で反射されるのを抑制できる。
【０１５３】
特に、低反射部５１０ｙは、外装部５１０の外面においてストロボ発光管５８１から照射された照明光が指定立ち位置Ｐ１の方向に反射される箇所に設けられている。上記構成により、ストロボ発光管５８１から照射され、外装部５１０において反射して指定立ち位置Ｐ１の方向に向かう反射光（Ｌ１ｒ）の強さが弱められる。そのため、反射光により陰影が乏しくなることが抑制され、特定の方向からの光が照射されたような印象を利用者に与える、陰影に富んだ被写体像を得ることができる。
【０１５４】
また、本実施の形態では、上記の遮光部５１０ｘと低反射部５１０ｙとの両方が設けられている。そのため、より一層、特定の方向からの光が照射されたような印象を利用者に与える、陰影に富んだ被写体像を得ることができる。
【０１５５】
低反射部５１０ｙは黒色（暗色の一例）の外面を有する。これにより、簡単な構成で、小さい光反射率を有する低反射部５１０ｙを構成できる。
【０１５６】
カメラ９１は、撮影空間の正面パネル４２（正面壁の一例）に配置され、ストロボ発光管５８１は、正面パネル４２にカメラ９１の上方で配置され、ストロボ発光管５５２は、撮影空間の天井１５に配置され、指定立ち位置Ｐ１は、ストロボ発光管５５２の下方の位置である。
【０１５７】
ストロボ発光管５５２は、延び形状を有し、その長手方向が水平面に対して交差するように、配置されている。ここで、延び形状を有する光源では一般にその長手方向とこれに直交する方向とで光の照射特性（配光特性）が異なる。特に、長手方向には光が拡散しにくい性質を有する。これを考慮して、延び形状を有するストロボ発光管５５２を、その長手方向が水平面に対して交差するように配置したものであり、これにより、ストロボ発光管５５２から照射される照明光を特定の方向に照射することができる。
【０１５８】
ストロボ発光管５８１及びストロボ発光管５５２は、延び形状を有し、それらの長手方向がなす角度が０〜６０°の範囲内となるように、配置されている。これにより、ストロボ発光管５８１とストロボ発光管５５２の配光特性を揃え、ストロボ発光管５８１とストロボ発光管５５２の照明光の利用者に対する当たり具合を似たものとすることができる。
【０１５９】
外装部５１０において、ストロボ発光管５５２から所定位置Ｐ２に向かう方向に位置する部分に、ストロボ発光管５５２から照射された照明光を通過させる開口５１３ｂが設けられている。これにより、所定位置Ｐ２に位置する利用者に向けてストロボ発光管５５２の照明光を直接的に照射することができる。そのため、所定位置Ｐ２に位置する利用者においても特定の方向からの光が照射されたような印象の被写体像を提供できる。
【０１６０】
なお、撮影空間の天井面を可能な限り黒色としてもよい。これにより、天井面での反射も抑制され、より特定の方向からの光が照射されたような印象の被写体像を得ることができる。
【０１６１】
（実施の形態１のバリエーション）
前記各実施の形態は、本発明の一態様である。以下において、本発明に含まれる種々のバリエーションについて説明する。なお、バリエーションの説明では、便宜上、実施の形態１と同じ符号を用いる場合がある。
【０１６２】
＜天井ストロボの構造のバリエーション＞
図２８は、天井ストロボ８６において、ストロボ発光管５５２の左右に２枚の仕切板５２１，５２２が設けられている場合の外装部５１０の遮光部の配置のバリエーションを示した図である。図２８（ａ）は、上述した実施の形態１における遮光部５１０ｘの配置を示している。実施の形態１では、前面部５１２及び下面部５１１が、開口を有さない遮光部５１０ｘとして構成されている。図２８（ｂ）に示すバリエーションでは、前面部５１２が、開口を有さない遮光部５１０ｘとして構成されている。この場合、中央の開口上部に、ストロボ発光管が配置されているため、利用者が天井ストロボ８６の直下に立った場合も、光を照射することができる。図２８（ｃ）に示すバリエーションでは、下面部５１１が、開口を有さない遮光部５１０ｘとして構成されている。この場合、開口が正面側中央に設けられているので、利用者が天井ストロボよりも前に立った場合において、利用者は、開口から光が照射される。このような場合、利用者の髪周辺が照射範囲となるため、利用者の髪が明るくなるように照射される。
いずれのバリエーションを採用するかは、指定立ち位置との位置関係等に基づいて決定すればよい。
【０１６３】
前記実施の形態では、外装部５１０内にストロボ発光管５５２の左右に２枚の仕切板５２１，５２２が設けられている場合を説明したが、本発明では、仕切板５２１，５２２は必須ではない。なお、仕切板５２１，５２２が設けられない場合、ストロボ発光管（５５２）から出射された光は、天井ストロボの長手方向端部にまで到達する。そのため、遮光部は、長手方向の一部でなく、長手方向の全体に亘って設けることが好ましい。この場合の遮光部の配置のバリエーションについて図２９を参照して説明する。
【０１６４】
図２９は、天井ストロボ８６において、仕切板５２１，５２２が設けられない場合の遮光部の配置のバリエーションを示した図である。図２９（ａ）のバリエーションでは、後面部５１３に長手方向のほぼ全体に亘る開口が設けられ、仕切り板が設置されていない。下面部５１１及び前面部５１２の全体を遮光部５１０ｘとしている。図２９（ｂ）のバリエーションでは、後面部５１３及び前面部５１２に長手方向のほぼ全体に亘る開口が設けられ、下面部５１１の全体を遮光部５１０ｘとしている。図２９（ｃ）のバリエーションでは、後面部５１３及び下面部５１１に長手方向のほぼ全体に亘る開口が設けられ、前面部５１２の全体を遮光部５１０ｘとしている。いずれのバリエーションであっても、ストロボ発光管から発光される光が乳白アクリル板を透過するまでの距離の差が大きくなるため、より拡散された多方向からの光が利用者に照射されることとなる。背景側に立った利用者に対して、陰影があまりつかないようにできる。いずれのバリエーションを採用するかは、指定立ち位置との位置関係等に基づいて決定すればよい。
【０１６５】
図３０は、天井ストロボ８６の外形形状のバリエーションを示した図である。図３０（ａ）は、上述した実施の形態１における外形形状を示しており、長手方向の一端側から見た形状が台形状の形状を有する。図３０（ｂ）の天井ストロボは、長手方向の一端側から見た形状がかまぼこ状の形状を有する。この形状の場合、例えば、曲面部分Ｓｒを下面部５１１とみなし、その前端及び後端につながる前後の面を前面部５１２及び後面部５１３とみなして、図２８や図２９の遮光部の配置パターンを適用することができる。図３０（ｃ）の天井ストロボは、正方形の下面部５１１を有する直方体状の形状を有する。この形状の場合、例えば、正方形の下面を下面部５１１とみなし、その前端及び後端につながる前後の面を前面部５１２及び後面部５１３とみなして、図２８や図２９の遮光部の配置パターンを適用することができる。図３０（ｄ）の天井ストロボは、円盤を下方に湾曲させて得られる椀状の形状を有する。椀状の形状の場合、遮光部は、例えば図３１に示すように設けることができる。
【０１６６】
図３１は、天井ストロボ８６が椀状の形状を有する場合における遮光部の配置のバリエーションを示した図である。図３１（ａ）では、円の中心部及び外周部を除くリング状部分が遮光部５１０ｘとして構成されている。図３１（ｂ）では、円の中心部が遮光部５１０ｘとして構成されている。図３１（ｃ）では、半円部分が遮光部５１０ｘとして構成されている。遮光部５１０ｘ以外の部分は、アクリル板で覆われていてもよいし、覆われていなくてもよい。
【０１６７】
＜上ストロボのストロボ発光管の形状のバリエーション＞
図３２は、上ストロボ８２のストロボ発光管の形状のバリエーションを示した図である。前記実施の形態では、上ストロボ８２のストロボ発光管が、延び形状を有するストロボ発光管である例を示した。しかし、本発明では、図３２に示すように、上ストロボ８２のストロボ発光管５８１は、円環状の形状を有するストロボ発光管であってもよい。円環状のストロボ発光管の場合、直線状のストロボ発光管に比べて、光の方向性が広がりやすいため、本実施品とは異なる光の性質とできる。
【０１６８】
＜上ストロボ及び天井ストロボの配置のバリエーション＞
図３３、図３４は、上ストロボ及び天井ストロボの配置のバリエーションを示した図である。図３３、図３４の写真シール作成装置は、上ストロボ８２及び天井ストロボ８６のカメラ９１に対する前後関係を反転させた構成を有する。具体的に、上ストロボ８２は背面パネル５１の上部に配置されている。また、天井ストロボ８６は、実施の形態１の構造に対して前後を反転させて、下面部５１１及び後面部５１３が遮光部５１０ｘ及び低反射部５１０ｙとして構成されている。このような構成によると、図３３に示すように指定立ち位置Ｐ１に利用者が立った場合と、図３４に示すように指定立ち位置Ｐ１よりもカメラ９１に近い所定位置Ｐ２(この位置についても利用者が前方に移動しやすい位置に基づいて予め設定されている）に利用者が立った場合とのいずれの場合においても、先に図２４、図２５を参照して説明したのと同様の理由により、陰影の豊かな被写体像を得ることができる。また、このような配置の場合、利用者の背中側に照明光が当たった被写体像を得ることができる。
【０１６９】
＜第１光源の配置位置のバリエーション＞
図３５Ａは、第１光源の配置位置のバリエーションを示した図である。本バリエーションでは、実施の形態１の天井ストロボ８６に代えて、天井ストロボ８６と同様の構造を有するストロボ８６Ｌ，８６Ｒを左右の側面パネル４１Ａ，４１Ｂに配置している。なお、実施の形態１同様に、カメラ９１は、撮影空間の正面パネル４２に配置され、上ストロボ８２のストロボ発光管５８１は、正面パネル４２にカメラ９１の上方で配置されている。ストロボ８６Ｌ，８６Ｒ（ストロボ発光管５５２Ｌ，５５２Ｒ）は撮影空間の側面パネル４１Ａ，４１Ｂ（側壁の一例）に、ストロボ８６Ｌ，８６Ｒ（ストロボ発光管５５２Ｌ，５５２Ｒ）の長手方向が上下方向を向くように配置されている。指定立ち位置Ｐ１はストロボ発光管５５２Ｌ，５５２Ｒの側方の位置である。遮光部５１０ｘ及び低反射部５１０ｙは、このような配置関係の場合でも、実施の形態１同様に前面部５１２及び下面部５１１に設けられている。これにより、左右の側面パネル４１Ａ，４１Ｂにストロボ８６Ｌ，８６Ｒを設けた場合において、ストロボ８６Ｌ，８６Ｒの外装部５１０での反射光Ｌ１ｒを抑制できるとともに、側面のストロボ８６Ｌ，８６Ｒから照射された照明光Ｌ２の直接光Ｌ２ｄが利用者に照射されるのが抑制される。そのため、特定の方向からの照明光で照射されたような印象の被写体像を得ることができる。
【０１７０】
＜天井ストロボの低反射部のバリエーション＞
図３５Ｂは、天井ストロボの低反射部の色のバリエーションを示した図である。図３５Ｂで網がけ表示した低反射部５１０ｙとしての前面部５１２及び下面部５１１は、黒色に限らず、グレー等の暗色の表面を有していてもよい。ここで、暗色とは、後面部（５１３）及び乳白アクリル板（５３１〜５３５）の外面の光反射率よりも小さい光反射率を有する色である。グレー等の暗色の場合であっても、後面部（５１３）及び乳白アクリル板（５３１〜５３５）の外面の光反射率よりも低い光反射率が得られる限り、低反射部として機能する。例えば、上述した実施の形態では、後面部（５１３）及び乳白アクリル板（５３１〜５３５）は白色及び乳白色をそれぞれ有するが、これよりも光反射率が小さい程度の明度の低い白色でも、低反射部として機能する。
【０１７１】
また、低反射部５１０ｙは、外面の色を暗色に塗装すること以外の方法でも実現できる。例えば、前面部５１２や下面部５１１の金属板の外面に暗色と同程度に光反射率が小さい布地やすりガラス等の素材を貼り付けることで、あるいは前面部５１２及び下面部５１１自体を上記のような素材で構成することで低反射部５１０ｙを実現できる。また、外面に例えば微小凹凸形成等の表面処理加工を施すことでも低反射部５１０ｙを実現できる。
【０１７２】
（実施の形態２）
実施の形態１では、遮光部の光透過率がゼロである場合を説明したが、遮光部の光透過率は、外装部における遮光部以外の部分の光透過率よりも小さければ、ゼロでなくてもよい。以下、光透過率がゼロでない遮光部を半遮光部といい、その構成等について説明する。半遮光部は、ストロボ発光管５５２（第１光源）から照射される照明光のうち指定立ち位置Ｐ１の方向に向かう照明光を所定位置Ｐ２に向かう照明光よりも低い光量に減衰させて透過させる。例えば、外装部５１０における乳白アクリル板（５３１〜５３５）以外の部分を、金属板でなく、光を透過するが乳白アクリル板（５３１〜５３５）よりも光透過率が小さい樹脂板等に変更することで、半遮光部を構成することができる。あるいは、透明あるいは乳白色のアクリル板に光を透過する程度に黒や灰色を塗布することで、半遮光部を構成できる。なお、半遮光部とした場合でも、外形的には前記各実施の形態のものと同一でよいため特に図示はしていない。この構成により、半遮光部はストロボ発光管５５２から照射される照明光のうち指定立ち位置Ｐ１の方向に向かう照明光を所定位置Ｐ２に向かう照明光よりも低い光量に減衰させて透過させることができる。したがって、天井ストロボ８６から照射される照明光Ｌ２により利用者が照明されるのが抑制される。よって、特定の方向からの光が照射されたような印象を利用者に与える、陰影に富んだ被写体像を得ることができる。
【０１７３】
なお、外装部５１０を半遮光部として構成した場合においても、外装部５１０の外面を、例えば上記のように黒や灰色とすることで、上記各実施形態で説明したのと同様の低反射部５１０ｙを構成することができる。低反射部５１０ｙは、上記各実施形態同様、外装部５１０の外面においてストロボ発光管５８１から照射された照明光が指定立ち位置Ｐ１の方向に反射される箇所に設ければよい。これにより、実施の形態１の低反射部５１０ｙによる効果と同様の効果が得られる。
【０１７４】
（実施の形態３）
図３６は、実施の形態３におけるストロボの配置等を示した図である。なお、図３６では、以下の説明で登場しない符号についても、上述した実施の形態等との対照等が容易なように記載している。本実施の形態では、上ストロボが備えられていないが、実施の形態１同様、天井ストロボ８６の外装部５１０に、ストロボ発光管５５２から照射される照明光Ｌ２のうち、少なくとも、装置平面視でカメラ９１の光軸Ａｘ方向に平行となる方向、または真下方向のうちの所定方向に向かう照明光を遮光する遮光部５１０ｘが設けられている。具体的には、本実施の形態では、遮光部５１０ｘは、ストロボ発光管５５２から照射される照明光Ｌ２のうち利用者の指定立ち位置Ｐ１とは反対の方向に向かう照明光を遮光するように設けられている。図３６の例では、遮光部５１０ｘは、外装部５１０の前面部５１２及び下面部５１１に設けられている。この構成の場合、撮影時に天井ストロボ８６が発光すると、利用者には、天井ストロボ８６から照射された照明光Ｌ２の直接光Ｌ２ｄが照射される。なお、上ストロボ８２から照射された照明光Ｌ１の直接光Ｌ１ｄも同様に照射されることは言うまでもない。
【０１７５】
このように外装部５１０に遮光部５１０ｘを設けた構成によると、天井ストロボ８６においてストロボ発光管５５２と遮光部５１０ｘの距離が長くなるため、光が外装部５１０の内部で乱反射しやすい状態となり、遮光部５１０ｘ以外から出射される光の方向性が整うようになる。したがって、写真シール作成装置でこの天井ストロボ８６を利用した場合に、利用者の表情などに陰影を作りやすくなる。
【０１７６】
なお、実施の形態１のバリエーションとして説明した内容についても、実施の形態３に適宜適用できる。
【０１７７】
（実施の形態４）
図３７は、実施の形態４におけるストロボの配置等を示した図である。なお、図３７では、以下の説明で登場しない符号についても、上述した実施の形態等との対照等が容易なように記載している。本実施の形態では、天井ストロボ８６は、指定立ち位置Ｐ１よりも後方（背面パネル５１側に）設けられる。また、実施の形態１同様、天井ストロボ８６の外装部５１０に、ストロボ発光管５５２から照射される照明光Ｌ２のうち、少なくとも、装置平面視でカメラ９１の光軸Ａｘ方向に平行となる方向または真下方向のうちの所定方向に向かう照明光を遮光する遮光部５１０ｘが設けられている。しかし、本実施の形態では、遮光部５１０ｘは、ストロボ発光管５５２から照射される照明光のうち利用者の指定立ち位置Ｐ１とは反対の方向に向かう照明光を遮光するように設けられている。図３７の例では、遮光部５１０ｘは、外装部５１０の後面部５１３及び下面部５１１に設けられている。このような構成によると、上ストロボ８２及び天井ストロボ８６の両方から照射された照明光Ｌ１，Ｌ２の直接光Ｌ１ｄ，Ｌ２ｄにより、指定立ち位置Ｐ１にいる利用者が照射される。
【０１７８】
このように外装部５１０に遮光部５１０ｘを設けた構成によると、天井ストロボ８６においてストロボ発光管５５２と遮光部５１０ｘの距離が長くなるため、光が外装部５１０の内部で乱反射しやすい状態となり、遮光部５１０ｘでない前面部５１２の開口から出射される光の方向性が整うようになる。したがって、写真シール作成装置でこの天井ストロボ８６を利用した場合に、利用者の表情などに陰影を作りやすくなる。
【０１７９】
なお、上ストロボ８２からの照明光によっても利用者は照明されることとなるが、上ストロボ８２からの照明光も直接光であるため、方向の異なる直接光による陰影を利用者の顔などに生じさせることができる。
【０１８０】
なお、実施の形態１のバリエーションとして説明した内容についても、実施の形態４に適宜適用できる。
【０１８１】
（実施の形態５）
図３８は、実施の形態５における天井ストロボの構造を模式的に示した断面図である。前述した実施の形態１における図２１の天井ストロボでは、図３８（ａ）に示すように、前面部５１２及び下面部５１１の外面に低反射部５１０ｙが設けられている。しかし、図３８（ｂ）に示すように、さらに前面部５１２の内面にも低反射部５１０ｙを設けてもよい。このように構成することで、前面部５１２の内面で反射した反射光Ｌ２ｒの光量が低下する。そのため、後面部５１３の開口５１３ｂから出射される照明光Ｌ２に含まれる反射光成分が減少し、出射される照明光Ｌ２の方向性が整うようになる。なお、図３８（ｃ）に示すように、さらに下面部５１１の内面にも低反射部５１０ｙを設けてもよい。このように構成することで、下面部５１１の内面で反射した反射光Ｌ２ｒの光量も低下する。そのため、後面部５１３の開口５１３ｂから出射される照明光Ｌ２に含まれる反射光成分が減少し、出射される照明光Ｌ２の方向性がより整うようになる。よって、図３８（ｂ）、図３８（ｃ）のように構成すれば、実施の形態１と比べてより一層、特定の方向からの光が照射されたような印象を利用者に与える、陰影に富んだ被写体像を得ることができる。
【０１８２】
なお、上記の思想は実施の形態４の構成にも適用可能である。すなわち、実施の形態４における図３６の天井ストロボでは、外装部に低反射部が設けられていないが、図３８（ｄ）に示すように、前面部５１２の内面に低反射部５１０ｙを設けてもよい。このように構成することで、図３８（ｂ）の場合同様に、出射される照明光Ｌ２の方向性が整うようになる。また、特に図示しないが、図３８（ｃ）の場合同様に、さらに下面部５１１の内面にも低反射部５１０ｙを設けてもよい。これにより、図３８（ｃ）の場合同様に、出射される照明光Ｌ２の方向性をより整えることができる。よって、図３８（ｄ）のように構成すれば、実施の形態４と比べてより一層、特定の方向からの光が照射されたような印象を利用者に与える、陰影に富んだ被写体像を得ることができる。
【０１８３】
（他の実施の形態）
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１８４】
１  写真シール作成装置
２  カーテン
３  カーテン
４  カーテン
１１  撮影ユニット
１２  編集ユニット
１５  天井
２０  事前選択操作部
２１  撮影操作部
２２  背景部
２３  利用者立ち位置部
２３Ａ  床部
２４Ａ  縦フレーム
２４Ｂ  縦フレーム
２５Ａ  側面フレーム
２５Ｂ  側面フレーム
２６Ａ  連結フレーム
２６Ｂ  連結フレーム
２７  カーテンレール
２７Ａ  レール
２７Ｂ  レール
２７Ｃ  レール
２８  編集操作部
２８Ａ  編集操作部  
２８Ｂ  編集操作部
２９  印刷操作部
３１  立ち位置マーク
４１Ａ  側面パネル
４１Ｂ  側面パネル
４２  正面パネル
５１  背面パネル
５２Ａ  側面パネル
５２Ｂ  側面パネル
６１  面
６２  斜面
６３Ａ  支持部
６３Ｂ  支持部
６４  照明装置
６５  支持部
７１  タッチパネルモニタ
７２  スピーカ
７３  硬貨投入返却口
７４  硬貨処理部  
８１  カメラユニット
８２  上ストロボ
８５  足元ストロボ
８６  天井ストロボ
８７  右側面ストロボ
８８  左側面ストロボ
９１  カメラ
９２  タッチパネルモニタ
９３  スピーカ  
９５  シャッターボタン
１２１  クロマキーシート
１２２  シート可動部
１３１  タブレット内蔵モニタ
１３２Ａ  タッチペン
１３２Ｂ  タッチペン
１３３  スピーカ
１４０  プリンタ
１４１  シール紙ユニット
１４２  シール紙
１６１  シール紙排出口
２０１  制御部
２０２  記憶部
２０３  通信部
２０４  ドライブ
２０５  リムーバブルメディア
２０６  ＲＯＭ
２０７  ＲＡＭ
２１０  事前選択部
２２０  撮影部
２３０  編集部
２４０  印刷部
３０１  事前選択処理部
３０２  撮影処理部
３０５  編集処理部
３０６  印刷処理部
５０１  ベースプレート
５１０  外装部
５１１  下面部
５１２  前面部
５１３  後面部
５１４  側面部
５１５  側面部
５１１ａ  開口
５１１ｂ  開口
５１３ａ  開口
５１３ｂ  開口
５１３ｃ  開口
５２１  仕切板
５２２  仕切板
５３１  乳白アクリル板
５３２  乳白アクリル板
５３３  乳白アクリル板
５３４  乳白アクリル板
５３５  乳白アクリル板
５４１  ストロボ発光部
５４２  定常光光源
５４３  定常光光源
５５１  乳白アクリル板
５５２  ストロボ発光管
５５３  Ｖ字反射板
５６１  乳白アクリル板
５７１  ストロボ発光部
５７２  定常光光源
５７３  定常光光源
５８１  ストロボ発光管
５８２  Ｖ字反射板
６１１  箱体
６１２  カバー
６１２ａ  開口
６１３  ストロボ発光管
６１４  ルーバ
６１５  透明アクリル板
Ａ０  事前選択空間
Ａ１−１  撮影空間前方部
Ａ１−２  撮影空間後方部
Ａ２−１  編集空間
Ａ２−２  編集空間
Ａ３  印刷待ち空間
Ｇ１  出入り口
Ｇ２  出入り口
Ｐ１  指定立ち位置
Ｐ２  所定位置
【図１】
2019036798.tif 000003
【図２】
2019036798.tif 000004
【図３】
2019036798.tif 000005
【図４】
2019036798.tif 000006
【図５】
2019036798.tif 000007
【図６】
2019036798.tif 000008
【図７】
2019036798.tif 000009
【図８】
2019036798.tif 000010
【図９】
2019036798.tif 000011
【図１０】
2019036798.tif 000012
【図１１】
2019036798.tif 000013
【図１２】
2019036798.tif 000014
【図１３】
2019036798.tif 000015
【図１４】
2019036798.tif 000016
【図１５】
2019036798.tif 000017
【図１６】
2019036798.tif 000018
【図１７】
2019036798.tif 000019
【図１８】
2019036798.tif 000020
【図１９】
2019036798.tif 000021
【図２０Ａ】
2019036798.tif 000022
【図２０Ｂ】
2019036798.tif 000023
【図２１】
2019036798.tif 000024
【図２２】
2019036798.tif 000025
【図２３】
2019036798.tif 000026
【図２４】
2019036798.tif 000027
【図２５】
2019036798.tif 000028
【図２６】
2019036798.tif 000029
【図２７】
2019036798.tif 000030
【図２８】
2019036798.tif 000031
【図２９】
2019036798.tif 000032
【図３０】
2019036798.tif 000033
【図３１】
2019036798.tif 000034
【図３２】
2019036798.tif 000035
【図３３】
2019036798.tif 000036
【図３４】
2019036798.tif 000037
【図３５Ａ】
2019036798.tif 000038
【図３５Ｂ】
2019036798.tif 000039
【図３６】
2019036798.tif 000040
【図３７】
2019036798.tif 000041
【図３８】
2019036798.tif 000042